(57)【要約】  本開示の実施形態は、無線通信システムにおいて、サービングノード及び端末装置におけるヌメロロジ多重化の方法及び装置に関連する。ヌメロロジ多重化の方法は、共通のダウンリンク送信リソースにおける少なくとも２つのヌメロロジに関する情報を送信することと、少なくとも２つのヌメロロジに関する情報に基づいて、同一周波数帯域において少なくとも２つのヌメロロジを多重化することとを含む。本開示の実施形態により、異なるヌメロロジが同一の帯域において多重化されることを可能にすることが出来る。【選択図】図１
2018537900.tif 000002
【特許請求の範囲】
【請求項１】
無線通信システムにおけるヌメロロジ多重化の方法であって、前記方法は、
共通のダウンリンク送信リソースにおいて、少なくとも２つのヌメロロジに関する情報を送信することと、
前記少なくとも２つのヌメロロジに関する前記情報に基づいて、同一周波数帯域において前記少なくとも２つのヌメロロジを多重化することと、を含む方法。
【請求項２】
前記少なくとも２つのヌメロロジは、システム帯域幅の中心周波数において、前記少なくとも２つのヌメロロジに対する周波数間隔のうちの最小のものと多重化されるか、又は、
前記少なくとも２つのヌメロロジは、所定のパターンに基づいて多重化される、請求項１に記載の方法。
【請求項３】
前記共通のダウンリンク送信リソースは、システム帯域幅の中央に位置する、請求項１又は２に記載の方法。
【請求項４】
前記共通のダウンリンク送信リソースは、固定のサブキャリア間隔を有する、請求項１乃至３のいずれか１項に記載の方法。
【請求項５】
少なくとも１つの追加のダウンリンク送信リソースにおいて、前記共通のダウンリンク送信リソースを含まないサブバンドを有する少なくとも１つの他のヌメロロジに関する情報を送信することをさらに含む、請求項１乃至４のいずれか１項に記載の方法。
【請求項６】
前記少なくとも１つの追加のダウンリンク送信リソースは、固定のサブキャリア間隔を有するか、又は、
前記少なくとも１つの追加のダウンリンク送信リソースは、サブバンド固有のサブキャリア間隔を有する、請求項５に記載の方法。
【請求項７】
前記少なくとも１つの追加のダウンリンク送信リソースは、システム帯域幅の境界に位置するか、又は、
前記少なくとも１つの追加のダウンリンク送信リソースは、サブバンドの中央に位置する、請求項５又は６に記載の方法。
【請求項８】
前記少なくとも２つのヌメロロジに関する前記情報は、
多重化されるヌメロロジの数；
ヌメロロジ多重化構成情報；
前記ヌメロロジのうちの少なくとも１つについてのサブキャリア間隔情報；
前記ヌメロロジのうちの少なくとも１つについてのサブバンド帯域幅情報；及び
前記ヌメロロジのうちの少なくとも１つについての追加のダウンリンク送信リソースに関する位置情報、
のうちの少なくとも１つを含む、請求項１乃至７のいずれか１項に記載の方法。
【請求項９】
前記少なくとも１つの追加のダウンリンク送信リソースは、前記少なくとも１つの追加のダウンリンク送信リソースについてのサブバンド帯域幅情報、及び、前記少なくとも１つの追加のダウンリンク送信リソースについてのサブキャリア間隔情報、のうちの少なくとも１つを含む、請求項５乃至７のいずれか１項に記載の方法。
【請求項１０】
無線通信システムにおけるヌメロロジ多重化の方法であって、前記方法は、
共通のダウンリンク送信リソースにおいて、少なくとも２つのヌメロロジに関する情報を受信することと、
前記少なくとも２つのヌメロロジに関する前記情報に基づいて、同一周波数帯域において前記少なくとも２つのヌメロロジを多重化することと、を含む方法。
【請求項１１】
前記少なくとも２つのヌメロロジは、システム帯域幅の中心周波数において、前記少なくとも２つのヌメロロジに対する周波数間隔のうちの最小のものと多重化されるか、又は、
前記少なくとも２つのヌメロロジは、所定のパターンに基づいて多重化される、請求項１０に記載の方法。
【請求項１２】
前記共通のダウンリンク送信リソースは、システム帯域幅の中央に位置する、及び／又は
前記共通のダウンリンク送信リソースは、固定のサブキャリア間隔を有する、請求項１０又は１１に記載の方法。
【請求項１３】
少なくとも１つの追加のダウンリンク送信リソースにおいて、前記共通のダウンリンク送信リソースを含まないサブバンドを有する少なくとも１つの他のヌメロロジに関する情報を受信することをさらに含む、請求項１０乃至１２のいずれか１項に記載の方法。
【請求項１４】
前記少なくとも１つの追加のダウンリンク送信リソースは、固定のサブキャリア間隔を有するか、又は前記少なくとも１つの追加のダウンリンク送信リソースは、サブバンド固有のサブキャリア間隔を有する、及び／又は、
前記少なくとも１つの追加のダウンリンク送信リソースは、システム帯域幅の境界に位置するか、又は前記少なくとも１つの追加のダウンリンク送信リソースは、サブバンドの中央に位置する、請求項１３に記載の方法。
【請求項１５】
前記少なくとも２つのヌメロロジに関する前記情報は、
多重化されるヌメロロジの数；
ヌメロロジ多重化構成情報；
前記ヌメロロジのうちの少なくとも１つについてのサブキャリア間隔情報；
前記ヌメロロジのうちの少なくとも１つについてのサブバンド帯域幅情報；及び
前記ヌメロロジのうちの少なくとも１つについての追加のダウンリンク送信リソースに関する位置情報、
のうちの少なくとも１つを含む、請求項１０乃至１４のいずれか１項に記載の方法。
【請求項１６】
前記少なくとも１つの追加のダウンリンク送信リソースは、前記少なくとも１つの追加のダウンリンク送信リソースについてのサブバンド帯域幅情報、及び前記少なくとも１つの追加のダウンリンク送信リソースについてのサブキャリア間隔情報、のうちの少なくとも１つを含む、請求項１３乃至１５のいずれか１項に記載の方法。
【請求項１７】
無線通信システムにおけるヌメロロジ多重化のための装置であって、前記装置は、
共通のダウンリンク送信リソースにおいて少なくとも２つのヌメロロジに関する情報を送信するように構成される情報送信モジュールと、
前記少なくとも２つのヌメロロジに関する前記情報に基づいて同一周波数帯域において前記少なくとも２つのヌメロロジを多重化するように構成されるヌメロロジ多重化モジュールと、を含む装置。
【請求項１８】
前記ヌメロロジ多重化モジュールは、前記少なくとも２つのヌメロロジを、システム帯域幅の中心周波数において前記少なくとも２つのヌメロロジに対する周波数間隔のうちの最小のものと多重化するようにさらに構成され、又は、
前記ヌメロロジ多重化モジュールは、所定のパターンに基づいて前記少なくとも２つのヌメロロジを多重化するようにさらに構成される、請求項１７に記載の装置。
【請求項１９】
前記共通のダウンリンク送信リソースは、システム帯域幅の中央に位置する、及び／又は、
前記共通のダウンリンク送信リソースは、固定のサブキャリア間隔を有する、請求項１７又は１８に記載の装置。
【請求項２０】
少なくとも１つの追加のダウンリンク送信リソースにおいて、前記共通のダウンリンク送信リソースを含まないサブバンドを有する少なくとも１つの他のヌメロロジに関する情報を送信するように構成される追加情報送信モジュールをさらに含む、請求項１７乃至１９のいずれか１項に記載の装置。
【請求項２１】
前記少なくとも１つの追加のダウンリンク送信リソースは、固定のサブキャリア間隔を有するか、又は前記少なくとも１つの追加のダウンリンク送信リソースはサブバンド固有のサブキャリア間隔を有する、及び／又は
前記少なくとも１つの追加のダウンリンク送信リソースは、システム帯域幅の境界に位置するか、又は前記少なくとも１つの追加のダウンリンク送信リソースはサブバンドの中央に位置する、請求項２０に記載の装置。
【請求項２２】
前記少なくとも２つのヌメロロジに関する前記情報は、
多重化されるヌメロロジの数；
ヌメロロジ多重化構成情報；
前記ヌメロロジのうちの少なくとも１つについてのサブキャリア間隔情報；
前記ヌメロロジのうちの少なくとも１つについてのサブバンド帯域幅情報；及び
前記ヌメロロジのうちの少なくとも１つについての追加のダウンリンク送信リソースに関する位置情報、
のうちの少なくとも１つを含む、請求項１７乃至２１のいずれか１項に記載の装置。
【請求項２３】
前記少なくとも１つの追加のダウンリンク送信リソースは、
前記少なくとも１つの追加のダウンリンク送信リソースについてのサブバンド帯域幅情報、及び前記少なくとも１つの追加のダウンリンク送信リソースについてのサブキャリア間隔情報、のうちの少なくとも１つを含む、請求項２０又は２１に記載の装置。
【請求項２４】
無線通信システムにおけるヌメロロジ多重化の装置であって、前記装置は、
共通のダウンリンク送信リソースにおいて少なくとも２つのヌメロロジに関する情報を受信するように構成される情報受信モジュールと、
前記少なくとも２つのヌメロロジに関する前記情報に基づいて、同一周波数帯域において前記少なくとも２つのヌメロロジを多重化するように構成されるヌメロロジ多重化モジュールと、を含む装置。
【請求項２５】
前記ヌメロロジ多重化モジュールは、前記少なくとも２つのヌメロロジを、システム帯域幅の中心周波数において、前記少なくとも２つのヌメロロジに対する周波数間隔のうちの最小のものと多重化するようにさらに構成されるか、又は、
前記ヌメロロジ多重化モジュールは、所定のパターンに基づいて、前記少なくとも２つのヌメロロジと多重化するようにさらに構成される、請求項２４に記載の装置。
【請求項２６】
前記共通のダウンリンク送信リソースは、システム帯域幅の中央に位置する、及び／又は、
前記共通のダウンリンク送信リソースは固定のサブキャリア間隔を有する、請求項２４又は２５に記載の装置。
【請求項２７】
少なくとも１つの追加のダウンリンク送信リソースにおいて、前記共通のダウンリンク送信リソースを含まないサブバンドを有する少なくとも１つの他のヌメロロジに関する情報を受信するように構成される追加情報受信モジュールをさらに含む、請求項２４乃至２６のいずれか１項に記載の装置。
【請求項２８】
前記少なくとも１つの追加のダウンリンク送信リソースは、固定のサブキャリア間隔を有するか、又は、前記少なくとも１つの追加のダウンリンク送信リソースはサブバンド固有のサブキャリア間隔を有する、及び／又は、
前記少なくとも１つの追加のダウンリンク送信リソースは、システム帯域幅の境界に位置するか、又は前記少なくとも１つの追加のダウンリンク送信リソースは、サブバンドの中央に位置する、請求項２７に記載の装置。
【請求項２９】
前記少なくとも２つのヌメロロジに関する前記情報は、
多重化されるヌメロロジの数；
ヌメロロジ多重化構成情報；
前記ヌメロロジのうちの少なくとも１つについてのサブキャリア間隔情報；
前記ヌメロロジのうちの少なくとも１つについてのサブバンド帯域幅情報；及び
前記ヌメロロジのうちの少なくとも１つについての追加のダウンリンク送信リソースに関する位置情報、
のうちの少なくとも１つを含む、請求項２４乃至２８のいずれか１項に記載の装置。
【請求項３０】
前記少なくとも１つの追加のダウンリンク送信リソースは、前記少なくとも１つの追加のダウンリンク送信リソースについてのサブバンド帯域幅情報、及び前記少なくとも１つの追加のダウンリンク送信リソースについてのサブキャリア間隔情報、のうちの少なくとも１つを含む、請求項２７又は２８に記載の装置。
【発明の詳細な説明】
【技術分野】
【０００１】
本開示の非限定的かつ例示的な実施形態は、一般的に、無線通信技術の分野に関し、特に、ヌメロロジ多重化（numerology multiplexing）のための方法及び装置に関する。
【背景技術】
【０００２】
直交周波数分割多重（ＯＦＤＭ：Orthogonal Frequency-Division Multiplexing）は、複数キャリア周波数においてデジタルデータを符号化する方法であり、それは、デジタルマルチキャリア変調方法として用いられる周波数分割多重（ＦＤＭ：frequency-division multiplexing）方式である。ＯＦＤＭによれば、多数の近接する直交サブキャリア信号が、いくつかの並列的なデータストリーム又はキャリアを搬送するために用いられる。典型的に、ＯＦＤＭシステムのための設計パラメータは、システム要件に従って導出される。考慮すべきパラメータは、例えば、サブキャリア間隔、ガードタイム／サイクリックプレフィックス及びシンボル期間、送信タイムインターバル（ＴＴＩ：transmission time interval）等を含む。
【０００３】
近年、多様な要求が絶えず要求され、異なる展開シナリオ及び異なるキャリア周波数に対して、異なるヌメロロジが要求され得る。このように、異なるヌメロロジは、new radio（ＮＲ）において要求されている。
【０００４】
技術文献“Mixed numerology in an OFDM system”, Ericsson, 3GPP RAN1#85, 2016, Mayでは、ＯＦＤＭシステムにおいて混合されたヌメロロジが提案されており、そこには、ヌメロロジ間の干渉を低減するために、多重化されたヌメロロジ間のガードバンドを導入することが提案されている。しかし、この文献では、ヌメロロジ間インタフェースに焦点が当てられているだけであり、どのようにヌメロロジを多重化しているかについては考慮されていない。
【０００５】
このように、既存のソリューションでは、同一帯域において異なるヌメロロジをどのようにサポートするかについてのソリューションはまだ存在せず、したがって、同一周波数帯域において多様な要件を伴う異なるサービスの多重化をサポートするために、ヌメロロジ多重化を可能とすることが必要とされる。
【発明の概要】
【０００６】
本開示では、先行技術の問題の少なくとも一部を緩和、又は少なくとも軽減するために、無線通信システムにおけるヌメロロジ多重化のための新しいソリューションが提供される。
【０００７】
本開示の第１の態様によれば、無線通信システムにおけるヌメロロジ多重化の方法が提供される。本方法は、ノードＢ（NodeB又はNB）のような、例えば、ＢＳ等のサービングノードで実行することが出来る。本方法は、共通のダウンリンク送信リソースにおいて、少なくとも２つのヌメロロジに関する情報を送信すること；及び、前記少なくとも２つのヌメロロジに関する前記情報に基づいて同一周波数帯域において前記少なくとも２つのヌメロロジを多重化すること、を含む。
【０００８】
本開示の第２の態様によれば、無線通信システムにおけるヌメロロジ多重化の方法が提供される。本方法は、例えば、ＵＥ又は他の端末装置等の端末装置で実行することが出来る。本方法は、共通のダウンリンク送信リソースにおいて、少なくとも２つのヌメロロジに関する情報を受信すること；及び、前記少なくとも２つのヌメロロジに関する前記情報に基づいて同一周波数帯域において、前記少なくとも２つのヌメロロジを多重化すること、を含む。
【０００９】
本開示の第３の態様によれば、無線通信システムにおけるヌメロロジ多重化のための装置が提供される。本装置は、ノードＢ（NodeB又はNB）のような、例えば、ＢＳ等のサービングノードにおいて実装することが出来る。本装置は、情報送信モジュール及びヌメロロジ多重化モジュールを含む。前記情報送信モジュールは、共通のダウンリンク送信リソースにおいて少なくとも２つのヌメロロジに関する情報を送信するように構成される。前記ヌメロロジ多重化モジュールは、前記少なくとも２つのヌメロロジに関する前記情報に基づいて同一周波数帯域において前記少なくとも２つのヌメロロジを多重化するように構成される。
【００１０】
本開示の第４の態様によれば、無線通信システムにおけるヌメロロジ多重化の装置が提供される。本装置は、例えば、ＵＥ又は他の端末装置等の端末装置において実装することが出来る。本装置は、情報受信モジュール及びヌメロロジ多重化モジュールを含む。前記情報受信モジュールは、共通のダウンリンク送信リソースにおいて、少なくとも２つのヌメロロジに関する情報を受信するように構成される。前記ヌメロロジ多重化モジュールは、前記少なくとも２つのヌメロロジに関する前記情報に基づいて、同一周波数帯域において、前記少なくとも２つのヌメロロジを多重化するように構成される。
【００１１】
本開示の第５の態様によれば、コンピュータプログラムコードが具体化されたコンピュータ読み取り可能な記憶媒体が提供される。前記コンピュータプログラムコードは、実行する場合、前記第１の態様のいずれかの実施形態にかかる前記方法の動作を装置に実行させるように構成される。
【００１２】
本開示の第６の態様によれば、コンピュータプログラムコードが具体化されたコンピュータ読み取り可能な記憶媒体が提供される。前記コンピュータプログラムコードは、実行する場合、前記第２の態様のいずれかの実施形態にかかる前記方法の動作を装置に実行させるように構成される。
【００１３】
本開示の第７の態様によれば、前記第５の態様にかかるコンピュータ読み取り可能な記憶媒体を含むコンピュータプログラム製品が提供される。
【００１４】
本開示の第８の態様によれば、前記第６の態様にかかるコンピュータ読み取り可能な記憶媒体を含むコンピュータプログラム製品が提供される。
【００１５】
本開示の実施形態によれば、少なくとも２つのヌメロロジに関する情報が共通のダウンリンク送信リソースにおいて送信され、少なくとも２つのヌメロロジに関する情報に基づいて、少なくとも２つのヌメロロジが多重化される、無線通信システムにおけるヌメロロジ多重化のための新しいソリューションを提供する。このようにして、異なるヌメロロジが同一帯域において多重化することを可能とし、したがって、５Ｇのような新しい無線システムにおいてヌメロロジ多重化をサポートすることが出来る。
【図面の簡単な説明】
【００１６】
本開示の上記及び他の特徴は、全体を通して同じ参照番号は同じまたは同様の構成要素を表す、添付の図面を参照して実施形態において説明される、実施形態の詳細な説明を通じてより明らかになるであろう。
【００１７】
【図１】図１は、本開示の実施形態にかかる無線通信システムにおけるサービングノードにおいてヌメロロジ多重化の方法のフローチャートを概略的に示す。
【００１８】
【図２】図２は、本開示の実施形態にかかる異なるヌメロロジ多重化パターンの図を概略的に示す。
【００１９】
【図３】図３は、本開示の実施形態にかかるヌメロロジに関する情報を搬送するための共通のダウンリンク送信リソースの例示的な位置の図を概略的に示す。
【００２０】
【図４】図４は、本開示の他の実施形態にかかるヌメロロジに関する情報を搬送するための共通のダウンリンク送信リソース及び追加のダウンリンク送信リソースの例示的な位置の図を概略的に示す。
【００２１】
【図５】図５は、本開示のさらなる実施形態にかかるヌメロロジに関する情報を搬送するための共通のダウンリンク送信リソース及び追加のダウンリンク送信リソースの例示的な位置の図を概略的に示す。
【００２２】
【図６】図６は、本開示のさらに他の実施形態にかかるヌメロロジに関する情報を搬送するための共通のダウンリンク送信リソース及び追加のダウンリンク送信リソースの例示的な位置の図を概略的に示す。
【００２３】
【図７】図７は、本開示のさらに他の実施形態にかかるヌメロロジに関する情報を搬送するための共通のダウンリンク送信リソース及び追加のダウンリンク送信リソースの例示的な位置の図を概略的に示す。
【００２４】
【図８】図８は、本開示のさらに他の実施形態にかかるヌメロロジに関する情報を搬送するための共通のダウンリンク送信リソース及び追加のダウンリンク送信リソースの例示的に位置の図を概略的に示す。
【００２５】
【図９】図９は、本開示のさらに他の実施形態にかかるヌメロロジに関する情報を搬送するための共通のダウンリンク送信リソース及び追加のダウンリンク送信リソースの例示的に位置の図を概略的に示す。
【００２６】
【図１０】図１０は、本開示の実施形態にかかる無線通信システムの端末装置におけるヌメロロジ多重化の方法のフローチャートを概略的に示す。
【００２７】
【図１１】図１１は、本開示の実施形態にかかる無線通信システムのサービングノードにおけるヌメロロジ多重化のための装置のブロック図を概略的に示す。
【００２８】
【図１２】図１２は、本開示の実施形態にかかる無線通信システムの端末装置におけるヌメロロジ多重化のための装置のブロック図を概略的に示す。
【００２９】
【図１３】図１３は、本明細書において記載されている様な、ＵＥの様な端末装置として具体化され、又は端末装置に含まれ得る装置１３１０、及び無線ネットワークにおける基地局の様なサービングノードとして具体化され、又はサービングノードに含まれ得る装置１３２０の簡略化されたブロック図をさらに示す。
【発明を実施するための形態】
【００３０】
以下、本開示において提供されるソリューションは、添付図面を参照して、実施形態を通して詳細に説明されるであろう。これらの実施形態は、当業者が本開示をより良く理解し実施できるようにするためにのみ提示されており、本開示の範囲を限定することを意図するものではないことを理解すべきである。
【００３１】
添付の図面では、本開示の様々な実施形態が、ブロック図、フローチャート及び他の図に示される。フローチャート又はブロックにおける各ブロックは、特定された論理機能を実行するための１もしくは複数の実行可能な命令を含む、モジュール、プログラム又はコードの一部が表されており、本開示において、必ずしも必要では無いブロックは点線で示されている。また、これらのブロックは、本方法のステップを実行することに対して特定の順序で示されているが、実際には、図示された順序に従って厳密に実行される必要はない。例えば、上記ブロックは、それぞれの動作の性質に基づいて、逆の順序、又は同時に実行されてもよい。フローチャートのブロック図、及び／又は各ブロック、及びそれらの組み合わせはまた、特定の機能／動作を実行するために、専用のハードウェアベースのシステムにより実装されてもよく、又は専用のハードウェアとコンピュータ命令との組み合わせにより実装されてもよいことに留意すべきである。
【００３２】
一般的に、特許請求の範囲において使用される全ての用語は、本明細書で明示的に定義されない限り、技術分野において通常の意味に従って解釈されるべきである。“１つの／その／上記（a/an/the/said）［要素、装置、コンポーネント、手段、ステップ、等］”についての全ての言及は、特に明示的に記載されてない限り、複数の上記装置、構成要素、手段、ユニット、ステップ等を排除することなく、上記要素、装置、コンポーネント、手段、ユニット、ステップ等の少なくとも１例を参照するように、広く（openly）解釈されるべきである。また、本明細書で使用する様に、不定冠詞“１つの（a/an）”は、複数の上記ステップ、ユニット、モジュール、デバイス、及びオブジェクト等を排除するものではない。
【００３３】
さらに、本開示の文脈において、ユーザ機器（ＵＥ：User Equipment）は、端末、モバイル端末（ＭＴ：Mobile Terminal）、加入者局（ＳＳ：Subscriber Station）、携帯加入者局（Portable Subscriber Station）、モバイルステーション（ＭＳ：Mobile Station）、又はアクセス端末（ＡＴ：Access Terminal）を参照してもよく、ＵＥ、端末、ＭＴ、ＳＳ、携帯加入者局、ＭＳ、又はＡＴの機能のいくつか又は全てが含まれてもよい。さらに、本開示の文脈において、用語“ＢＳ”は、例えばノードＢ（ＮｏｄｅＢ又はＮＢ）、エボルブドノードＢ（ｅＮｏｄｅＢ又はｅＮＢ）、ラジオヘッダ（ＲＨ：Radio Header）、リモートラジオヘッド（ＲＲＨ：Remote Radio Head）、中継機（relay）、又はフェムト、ピコなどの低電力ノード、などを表してもよい。
【００３４】
上述したように、既存のソリューションでは、同一帯域において異なるヌメロロジをどのようにサポートするかについてのソリューションはまだ存在しない。このように、本開示では、同一帯域において異なるヌメロロジをサポートするために、ヌメロロジ多重化の新しいソリューションが提供される。本開示において、物理ブロードキャストチャネル（ＰＢＣＨ：Physical Broadcast Channel）、プライマリ同期信号（ＰＳＳ：Primary Synchronization Signal）、セカンダリ同期信号（ＳＳＳ：Secondary Synchronization Signal）等の共通のダウンリンク送信リソースを使用することにより、異なるヌメロロジに関する情報を端末装置に送信することが提案されている。これにより、サービングノードから端末装置に異なるヌメロロジに関する情報が通知されることができ、ヌメロロジは、上記情報に基づいて同一の帯域において多重化されることが出来る。以下、ヌメロロジ多重化のソリューションが、添付の図面を参照して詳細に説明される。
【００３５】
まず、本開示の実施形態にかかる無線通信システムにおけるヌメロロジ多重化の方法１００のフローチャートを概略的に示す図１を参照する。方法１００は、例えば、ノードＢ（NodeB又はNB）の様なＢＳ等のサービングノードにおいて実行することが出来る。
【００３６】
図１に示すように、まず、ステップＳ１０１において、共通のダウンリンク送信リソースにおいて、少なくとも２つのヌメロロジに関する情報が送信される。ここで、共通のダウンリンク送信リソースは、全ての端末装置にヌメロロジに関する情報を通知するために使用することが出来るリソースであり、例えば、ＰＢＣＨ、ＰＳＳ、ＳＳＳなどであり得る。共通のダウンリンク送信リソースには、少なくとも２つのヌメロロジに関する情報を含まれる。ヌメロロジについて、関連情報は、例えば、サブキャリア間隔情報、及び／又はサブバンド帯域幅情報を含むことを少なくとも要求する。ここで、少なくとも２つのヌメロロジに関する情報は、異なるヌメロロジについての情報を含むことができ、例えば、多重化されるヌメロロジの数、ヌメロロジ多重化構成情報、ヌメロロジのうちの少なくとも１つについてのサブキャリア間隔情報；ヌメロロジのうちの少なくとも１つについてのサブバンド帯域幅情報；ヌメロロジのうちの少なくとも１つについての追加のダウンリンク送信リソースに関する位置情報；又は任意の他の情報のうちの少なくとも１つを含むことが出来る。他の場合では、少なくとも２つのヌメロロジに関する情報は異なり、いくつかの例が図３〜９を参照して説明される。
【００３７】
以下では、説明する目的でのみ、ＰＢＣＨは、ヌメロロジ情報のためのダウンリンク送信リソースの例として説明される；しかし、当業者であれば、本開示が、特定の例に限定されず、ＰＳＳ、ＳＳＳ等の任意の他の適切なダウンリンク送信リソースに同様に適用出来ることに留意されたい。
【００３８】
説明を目的として、図２は、本開示の実施形態にかかる異なるヌメロロジ多重化パターンの図を示す。図２に示すように、ヌメロロジは、システム帯域幅の中心周波数ｆｃにおいてヌメロロジに対する周波数間隔のうちの１つと多重化することができる。図２に示す一番上のパターンでは、サブキャリア間隔ｆ１及びサブキャリア間隔ｆ２を有する２つのヌメロロジは、同一帯域において多重化される；サブキャリアｆ２は、中心周波数ｆｃに存在し、又は換言すると、中心周波数ｆｃは、サブキャリア間隔ｆ２を有するヌメロロジについてのサブバンド内に存在する。図２に示すように上から２番目のパターンでは、サブキャリア間隔ｆ２及びサブキャリア間隔ｆ３を有する２つのヌメロロジは、同一帯域において多重化される；サブキャリアｆ２は、中心周波数ｆｃに存在する。図２に示すように上から３番目のパターンでは、サブキャリア間隔ｆ１、サブキャリア間隔ｆ２及びサブキャリア間隔ｆ３を有する３つのヌメロロジは、同一帯域において多重化される；サブキャリアｆ１は、中心周波数ｆｃに存在する。図２に示すように一番下のパターンでは、サブキャリア間隔ｆ１及びサブキャリア間隔ｆ２を有する２つのヌメロロジは、同一帯域において多重化される；サブキャリアｆ１及びサブキャリア間隔ｆ２の両方は、中心周波数ｆｃに存在し、換言すると、中心周波数ｆｃは、サブキャリア間隔ｆ１及びサブキャリア間隔ｆ２を有するヌメロロジに対するサブバンドの共通の境界である。したがって、中心周波数ｆｃにおいて、サブキャリア間隔を有するヌメロロジに対するサブバンドは、ｆｃの周りに均一に、又は不均一に広がることが出来ることが分かる。さらに、中心周波数ｆｃにおけるサブキャリア間隔は、上から３番目のパターンに示されるように、少なくとも２つのヌメロロジに対する周波数間隔のうち最小のものであり得る。あるいは、このサブキャリア間隔は、その帯域に対して設計されたサブキャリア間隔であってもよい。他のヌメロロジは、中心周波数ｆｃにおけるサブキャリア間隔を有するサブバンドに隣接するサブバンドにおいてスケジューリングされることが出来る。
【００３９】
図２において、異なるヌメロロジ多重化パターンが示されているが、これらのパターンは説明を目的として与えられたものであり、本開示はこれに限定されない。当業者は、例えば、より多くの又はより少ないヌメロロジを有するパターン等、他の異なるパターンを考えることが出来る。さらに、ヌメロロジは、例えば５Ｇ仕様において予め定義された固定パターンのうちの１つと多重化することもできる。換言すると、異なるヌメロロジは、所定のパターンに基づいて多重化されることが出来る。
【００４０】
ヌメロロジ多重化において、ＰＢＣＨ／ＰＳＳ／ＳＳＳのようなヌメロロジのための共通のダウンリンク送信リソースは、全体のシステム帯域幅の中央に位置することが出来る。図３は、本開示の実施形態にかかるヌメロロジに関する情報を搬送するための共通のダウンリンク送信リソース及び１もしくは複数の追加のダウンリンク送信リソースの例示的な位置の図を示す。図３において、異なるヌメロロジ多重化に対して、ＰＢＣＨ／ＰＳＳ／ＳＳＳは、システム帯域幅の中央に位置される。共通のＰＢＣＨ／ＰＳＳ／ＳＳＳのためのリソースは、ｎ個の物理リソースブロック（ＰＲＢ：physical resource block）を含んでもよく、固定のサブキャリア間隔を有してもよい。固定のサブキャリア間隔は、例えば、１５ＫＨｚ等のレガシーシステムのものと同様に含んでもよく、数ｎは、６又は要件に基づく任意の他の値として設定されてもよい。しかし、ＰＢＣＨ／ＰＳＳ／ＳＳＳのための必要なリソースは、ＰＲＢ及びヌメロロジの定義に基づいており、サブキャリア間隔は、他の所定の値とすることも出来ることは理解されるべきである。
【００４１】
次に、６ＰＲＢがＰＢＣＨ／ＰＳＳ／ＳＳＳのためにスケジューリングされると仮定する。このような場合では、ＰＲＢが１２サブキャリアとして定義される場合、ＰＢＣＨは依然として４つのシンボルを必要としてもよく、ＴＴＩに２つのスロットが存在する場合、２番目のスロットで送信することができる。一方、ＰＲＢが１８０ＫＨｚの周波数リソースブロックとして定義されている場合、ＰＢＣＨは、ヌメロロジに基づいて、より多くのシンボルを必要としてもよい。シンボルの数は、現在のサブキャリア間隔と、所定のサブキャリア間隔１５ＫＨｚとの比率によりスケーリングされる。例えば、サブキャリア間隔ｆ＝３０ＫＨｚを有するヌメロロジに対して、ＰＢＣＨのための必要なシンボル数は、４＊（３０／１５）＝８である。ＰＳＳ／ＳＳＳのための必要なシンボルは、ＰＢＣＨの場合と同様に決定されることができ、基準は、ＬＴＥの様にサブキャリア間隔ｆ０＝１５ＫＨｚを有するヌメロロジのための必要シンボルである。
【００４２】
図３に示すように、全体の帯域において、異なるヌメロロジに必要な全ての情報を搬送する共通のＰＢＣＨ／ＰＳＳ／ＳＳＳが存在する。ＰＢＣＨの場合、ＰＢＣＨは、マスタインフォメーションブロック（ＭＩＢ：Master Information Block）、セル固有のアンテナポート等の様にレガシー情報を含むことができる。さらに、ＰＢＣＨは、少なくとも２つのヌメロロジに関する情報も含むことができ、例えば、多重化されるヌメロロジの数、ヌメロロジ多重化構成情報、ヌメロロジについてのサブキャリア間隔情報；ヌメロロジについてのサブバンド帯域幅情報等を含んでもよい。
【００４３】
多重化されるヌメロロジの数は、同一帯域において多重化されるヌメロロジの数を示すことができ、以降詳細に説明する、ヌメロロジについてのサブキャリア間隔；ヌメロロジについてのサブバンド帯域幅情報の様な、他の情報を介して、明示的に又は暗示的に示すことができる。
【００４４】
ヌメロロジ多重化構成情報は、ヌメロロジ多重化についての特定の構成又はパターンを示すために、構成インデックスを含むことができる。例えば、インデックス及び対応するヌメロロジ多重化パターンを示す所定の表が存在し得る。ヌメロロジ多重化パターンは、多重化されるヌメロロジの数、各ヌメロロジについてのサブキャリア間隔、及び各ヌメロロジについてのサブバンド帯域幅を示してもよい。したがって、構成インデックスによって、使用されるヌメロロジ多重化パターンを示すことが可能である。しかし、この情報は、必ずしも必要ではないが、ヌメロロジ多重化パターンが特定数のヌメロロジに対して固定されたものである場合、省略することが出来る。
【００４５】
ヌメロロジについてのサブキャリア間隔情報は、それぞれのヌメロロジについてのサブキャリア間隔を示す。各ヌメロロジについてのサブキャリア間隔情報を示すために、例えばビットマップを使用することが出来る。例えば、候補となるサブキャリア間隔が、｛１５ＫＨｚ，３０ＫＨｚ，６０ＫＨｚ｝を含む場合、サブキャリア間隔のセットは、｛００，０１，１０｝にマッピングすることが出来る。各サブキャリア間隔に対する必要なビットの数は、候補となるサブキャリア間隔の数に依存する。候補となるサブキャリア間隔の数が３である場合、サブキャリア間隔を示すために２ビットが必要であり、数が５の場合、３ビットで十分である。ビットマップのために必要なビットは、各サブキャリア間隔のために必要なビットの数及び多重化されたヌメロロジの数に依存する。上記の場合、サブキャリア間隔のセットが｛００，０１，１０｝にマッピングされ得る場合であって多重化される２つのヌメロロジが存在する場合、ビットマップには４ビットで十分である。例えば、ビットマップ”００１０”は、第１のヌメロロジが１５ＫＨｚであり、第２のヌメロロジが６０ＫＨｚであることを示してもよい。
【００４６】
さらに、多重化されるヌメロロジの数が、ヌメロロジに関する情報に含まれず、したがって未知である場合、ビットマップサイズ及びビットマップの有効ビットは、多重化されるヌメロロジの数を示すために使用することが出来る。例えば、ビットマップサイズは、多重化されるヌメロロジの最大可能数により決定することが出来る。上記場合、多重化されるヌメロロジのサブキャリア間隔は、上記の様に示されるが、多重化されないヌメロロジのための無効なビットは、ビットマップにおいて埋めることが出来る。上述した場合を例に取ると、候補となるサブキャリア間隔は｛１５ＫＨｚ，３０ＫＨｚ、６０ＫＨｚ｝であり、多重化されるヌメロロジの最大可能数が３、多重化されるヌメロロジの実際の数は２である。このような場合、ビットマップは、”００１０１１”であり、”００”および”１０”は第１のヌメロロジに対して１５ＫＨｚ及び第２のヌメロロジに対して６０ＫＨｚを示し、”１１”は、ビットマップを埋めるための無効ビットである。このように、端末装置は、”００”及び”１０”のみを検出することができ、多重化されるヌメロロジの数が２であることを容易に学習することが出来る。他の例として、候補となるサブキャリア間隔が｛１５ＫＨｚ，３０ＫＨｚ，６０ＫＨｚ，１２０ＫＨｚ｝である場合、｛０００，００１，０１０，０１１｝にマッピングすることができ、ビットマップを埋めるために、１１１等の無効ビット又は他の未使用ビットを使用することが出来る。
【００４７】
ヌメロロジについてのサブバンド帯域幅情報は、それぞれのヌメロロジについてのサブバンド帯域幅を示す。本開示の実施形態では、サブバンド帯域幅情報は、各ヌメロロジのサブバンドについての帯域幅を示す。各ヌメロロジのサブバンドは、サブキャリア間隔情報と同じ順番に従う。すなわち、第１のサブバンド帯域幅は第１のサブキャリア間隔に対応し、第２の帯域幅は第２のサブキャリア間隔に対応し、以降同様である。候補となる帯域幅のセットが存在してもよく、同様にビットマップが帯域幅インジケーションのために使用することが出来る。例として、候補となる帯域幅のセットが｛５Ｍ，１０Ｍ，１５Ｍ｝を含んでもよく、これは、｛００，０１，１０｝にマッピングされ得る。多重化のための２つのヌメロロジが存在する場合、ビットマップ”００１０”は、第１のサブバンド帯域幅が５Ｍであり、第２のサブバンド帯域幅が１５Ｍであることを示してもよく、ビットマップ”０１０１”は、第１及び第２のサブバンド帯域幅の両方が１０Ｍであることを示す。サブキャリア間隔情報のためのビットマップと同様に、サブバンド帯域幅情報のためのビットマップの最大サイズは、同じように候補となる帯域幅の数及び多重化されるヌメロロジの数により決定することができる。
【００４８】
さらに、多重化されるヌメロロジの数がヌメロロジに関する情報に含まれず、したがって未知である場合、サブバンド帯域幅情報は、同様に多重化されるヌメロロジの数を暗示的に示すために使用することも出来る。説明を目的として、表１は、サブバンド帯域幅とマッピングされるビットとの間のマッピング例を示す。
【表１】
2018537900.tif 000003
【００４９】
このような場合、ビットマップ”００１０１１”について、第１のサブバンドが５Ｍの幅を有し、第２のサブバンドが１５Ｍの幅を有し、２つの有効ビットのみが含まれているため、多重化される２つのヌメロロジが存在することを示すために使用することが出来る。
【００５０】
本開示の他の実施形態では、サブバンド帯域幅情報は、帯域幅の開始及び終了を含んでもよい。したがって、帯域幅は、サブバンドの開始位置及びサブバンドの終了位置により示されることが出来る。第１のサブバンドの開始及び最後のサブバンドの終了がシステム帯域の開始及び終了に対応する場合、第１のサブバンドの開始及び最後のサブバンドの終了は無視されてもよい。ヌメロロジ間にガードバンドが導入されていない場合、又はヌメロロジ間のガードバンドが固定である場合、最後のサブバンドの終了位置又は現在のサブバンドの開始位置のみが、サブバンドを区別するのに十分である。それ以外の場合は、最後のサブバンドの終了位置及び現在のサブバンドの開始位置の両方が示されなければならない。
【００５１】
サブバンドの開始位置及び終了位置は、ＰＲＢレベルであり得る。ＰＲＢが、各ヌメロロジに対して同一サイズ、例えば、１８０ＫＨｚリソースブロックとして定義されている場合、システムは、一定数のＰＲＢを有することになる。したがって、ＰＲＢ番号により開始位置及び終了位置を示すことは容易である。異なるヌメロロジに対して、ＰＲＢは、異なる数のサブキャリアを有することになる。例えば、１５ＫＨｚの場合、ＰＲＢは１２サブキャリアを有する；６０ＫＨｚの場合、ＰＲＢは３サブキャリアを有する。ＰＲＢが１２サブキャリアリソースブロックとして定義されている場合、システムにおけるＰＲＢの数は、多重化されるヌメロロジ及びその帯域幅にしたがって変更される。１５ＫＨｚサブキャリア間隔を有するＰＢＣＨリソースを考えると、ＵＥがＰＲＢの数を推定することは複雑になる。本開示の他の実施形態では、システム帯域幅において複数のポテンシャルポジションで開始位置及び終了位置を設定することが可能である。すなわち、サブバンドの開始及び終了は、所定の位置のセットからのみ選択することが出来る。このようにして、サブバンド帯域幅情報を示すための複雑さ及び必要なリソースを低減してもよい。
【００５２】
ヌメロロジに関する情報は、追加情報ビットの有無に関わらず、スペア１０ビットを用いて、ＭＩＢにおいて送信することが出来る。あるいは、全てのヌメロロジ関連情報は、新たな情報ビットにより送信することも出来る。
【００５３】
図１に戻り参照すると、ステップ１０２において、ヌメロロジに関する情報に基づいて、同一周波数帯域において、少なくとも２つのヌメロロジを多重化してもよい。
【００５４】
また、図３において、共通のダウンリンク送信リソースは１つのみである；しかし、本開示の他の実施形態では、１もしくは複数の追加のダウンリンク送信リソースを追加的に又は選択的に含むことも可能である。したがって、図１では、少なくとも１つの追加のダウンリンク送信リソースにおいて、共通のダウンリンク送信リソースを含まないサブバンドを有する少なくとも１つの他のヌメロロジに関する情報を送信することが可能である。すなわち、共通のダウンリンク送信リソースに加えて、追加のダウンリンク送信リソースを使用することが出来る。図４は、本開示の他の実施形態にかかるヌメロロジに関する情報を搬送するための共通のダウンリンク送信リソース及び追加のダウンリンク送信リソースの例示的な位置の図を概略的に示す。図４に示す様に、異なるヌメロロジ多重化パターンの場合、システム帯域幅の中央に位置する１つの共通のＰＢＣＨ／ＰＳＳ／ＳＳＳが存在し、これに加えて、共通のダウンリンク送信リソースを含まない他のサブバンドに対して、サブバンド固有送信リソースとして呼ぶこともできる、他のサブバンドの各々に対するＰＢＣＨ／ＰＳＳ／ＳＳＳの様な追加のダウンリンク送信リソースが存在する。図示された実施形態では、共通のＰＢＣＨ／ＰＳＳ／ＳＳＳの各々、及び１もしくは複数の追加のＰＢＣＨ／ＰＳＳ／ＳＳＳは、固定のサブキャリア間隔ｆ０（例えば、１５ＫＨｚ）及び１もしくは複数の追加のＰＢＣＨ／ＰＳＳ／ＳＳＳの各々は、システム帯域幅の境界に位置する。
【００５５】
システム帯域幅の中央に位置する共通のＰＢＣＨ／ＰＳＳ／ＳＳＳは、全ての端末装置により検出される共通のリソースである。ＰＢＣＨを例にとると、共通のＰＢＣＨは、ＭＩＢ、セル固有のアンテナポート等のレガシー情報を含むことができる。さらに、ＰＢＣＨは、例えば、多重化されるヌメロロジの数、共通のＰＢＣＨが位置するサブバンドについてのサブバンド間隔情報、及びサブバンドについてのサブバンド帯域幅情報（サブバンド帯域幅又はサブバンドの開始及び終了位置等）を含み得る、多重化されるヌメロロジに関する情報を含むことも出来る。事実を考慮すると、１もしくは複数の追加のＰＢＣＨは、システム帯域幅の境界に位置し、システム帯域幅は既知であり、境界は端末装置により容易に知ることが出来るので、１もしくは複数の追加のＰＢＣＨに関する位置情報を含まないことは可能である。したがって、このような場合、ヌメロロジの最大数は３に制限される。３つよりも多くのヌメロロジが存在する場合、システム帯域幅の境界に位置しない追加のＰＢＣＨ／ＰＳＳ／ＳＳＳについては、例えば、サブバンドの境界に位置するヌメロロジについて、共通のＰＢＣＨが、それらの位置情報を含むことが出来る。他方、１もしくは複数の追加のＰＢＣＨについて、そこに含まれる情報は、それぞれのサブバンドについてのサブキャリア間隔情報、それぞれのサブバンドについてのサブバンド帯域幅情報（サブバンド帯域幅又はサブバンドの開始及び終了位置等）を含んでもよい。
【００５６】
このように、この場合、全てのＰＢＣＨは、固定のサブキャリア間隔ｆ０（例えば、１５ＫＨｚ）を使用し、追加のＰＢＣＨは、システム帯域幅の境界に位置する。したがって、端末装置は、システム帯域幅の中央において、共通のＰＢＣＨを直接的に検出することができ、そして、システム帯域幅の境界において、追加のサブバンド固有のＰＢＣＨを検出することが出来る。そのため、レガシーＰＢＣＨと比較すると、追加のＰＢＣＨは、サブキャリア間隔、サブバンド帯域幅又は対応するヌメロロジのサブバンドの開始及び終了位置をさらに含む。ここで、システム帯域幅は、もはや必要でなくてもよい。
【００５７】
図４では、共通のＰＢＣＨ／ＰＳＳ／ＳＳＳ及び１もしくは複数の追加のＰＢＣＨ／ＰＳＳ／ＳＳＳの全ては、１５ＫＨｚのような固定のサブキャリア間隔ｆ０を使用するが、本開示はこれに限定されない。図５は、本開示のさらなる他の実施形態にかかるヌメロロジに関する情報を搬送するための共通のダウンリンク送信リソース及び追加のダウンリンク送信リソースの例示的な位置の図を概略的に示す。図５では、システム帯域幅の中央に位置する共通のＰＢＣＨ／ＰＳＳ／ＳＳＳは、固定のサブキャリア間隔ｆ０を有するが、システム帯域幅の境界に位置する追加のＰＢＣＨ／ＰＳＳ／ＳＳＳの各々は、サブバンド固有のサブキャリア間隔を有する。換言すると、共通のＰＢＣＨ／ＰＳＳ／ＳＳＳは、固定のサブキャリア間隔（例えば、１５ＫＨｚ）を使用することにより送信されてもよいが、一方で、サブバンド固有の送信リソースである追加のＰＢＣＨ／ＰＳＳ／ＳＳＳは、対応するサブバンドのサブキャリア間隔を使用することが出来る。このような場合、図４の様な共通のＰＢＣＨに含まれる情報に加えて、共通のＰＢＣＨにおいて、他のサブバンドについてのサブキャリア間隔情報をさらに含み、追加のＰＢＣＨは、この情報以上の情報を含む必要が無い。
【００５８】
そのため、この場合、端末装置は、まず、システム帯域幅の中央において、共通のＰＢＣＨを検出し、そして、共通のＰＢＣＨが示す様にそれぞれのサブバンドに対するサブキャリア間隔にしたがって、システム帯域幅の境界において、追加のサブバンド固有のＰＢＣＨを検出する。したがって、レガシーＰＢＣＨと比較すると、追加のＰＢＣＨは、サブバンド帯域幅又は対応するヌメロロジのサブバンドの開始及び終了位置をさらに含むことが出来る。同時に、システム帯域幅は、もはや必要でなくてもよい。
【００５９】
同様に、図４及び図５において示した様な場合について、ヌメロロジに関する情報は、追加の情報ビットの有無に関わらず、スペア１０ビット用いてＭＩＢにおいて送信することが出来る。あるいは、全てのヌメロロジ関連情報は、同様に、新たな情報ビットにより送信することも出来る。さらに、図４及び図５において、サブキャリア間隔情報、サブバンド帯域幅等の情報に関するインジケーション、及び他の関連する側面は、図３のものと同様とすることができ、したがって、ここでは詳述しないことを理解されたい。
【００６０】
図６は、本開示のさらに他の実施形態にかかるヌメロロジに関する情報を搬送するための共通のダウンリンク送信リソース及び追加のダウンリンク送信リソースの例示的な位置の図を概略的に示す。図６では、共通のＰＢＣＨ／ＰＳＳ／ＳＳＳ及び追加のＰＢＣＨ／ＰＳＳ／ＳＳＳの両方は、固定のサブキャリア間隔（例えば、１５ＫＨｚ）を有する。図４に示した場合と異なり、図６に示す様に、追加のＰＢＣＨ／ＰＳＳ／ＳＳＳは、システム帯域幅の境界に位置しないが、対応するサブバンドの中央に位置する。このような場合、上述したレガシー情報、及び図４に示す様な上述したヌメロロジに関する情報（例えば、多重化されるヌメロロジの数、共通のＰＢＣＨ／ＰＳＳ／ＳＳＳが位置するサブバンドに関するサブキャリア間隔情報、サブバンドに関するサブバンド帯域幅情報）に加えて、共通のＰＢＣＨに含まれる、多重化されるヌメロロジに関する情報は、それぞれの追加のダウンリンク送信リソースに関する位置情報をさらに含んでもよい。
【００６１】
そのため、端末装置は、まず、システム帯域幅の中央において、共通のＰＢＣＨを検出し、そして、共通のＰＢＣＨにおいて示される、それぞれの追加のダウンリンク送信リソースに関する位置情報にしたがって、それぞれのサブバンドの中央において、追加のサブバンド固有のＰＢＣＨを検出する。したがって、レガシーのＰＢＣＨと比較すると、追加のＰＢＣＨは、サブキャリア間隔、サブバンド帯域幅、又は対応するヌメロロジのサブバンドの開始及び終了位置をさらに含む。同時に、システム帯域幅は、もはや必要でなくてもよい。
【００６２】
図７は、本開示のさらに他の実施形態にかかるヌメロロジに関する情報を搬送するための共通のダウンリンク送信リソース及びつい以下のダウンリンク送信リソースの例示的な位置の図を概略的にさらに示す。図７の場合と図６の場合との間の違いは、追加のＰＢＣＨがサブバンド固有のサブキャリア間隔を使用することにある。換言すると、共通のＰＢＣＨ／ＰＳＳ／ＳＳＳは固定のサブキャリア間隔（例えば、１５ＫＨｚ）を用いることにより送信されてもよいが、サブバンド固有の送信リソースである追加のＰＢＣＨ／ＰＳＳ／ＳＳＳは、対応するサブバンドのサブキャリア間隔を使用することが出来る。このような場合、図６の共通のＰＢＣＨに含まれる情報に加えて、共通のＰＢＣＨにおいて、他のサブバンドのためのサブキャリア間隔情報をさらに含む。他方、レガシーのＰＢＣＨと比較すると、追加のＰＢＣＨは、サブバンド帯域幅又は対応するヌメロロジのサブバンドの開始及び終了位置をさらに含んでもよい。同時に、システム帯域幅は、もはや必要でなくてもよい。
【００６３】
同様に、図６及び図７に示す様な場合について、ヌメロロジに関する情報は、追加の情報ビットの有無に関わらず、スペア１０ビットを用いてＭＩＢにより送信することができる。あるいは、全てのヌメロロジに関する情報は、新たな情報ビットにより送信することも出来る。さらに、図６及び図７において、サブキャリア間隔情報、サブバンド帯域幅等の情報に関するインジケーション、及び他の関連する側面は、図３のものと同様とすることができ、したがって、本明細書では詳述しないことを理解されたい。
【００６４】
図８は、本開示のさらに他の実施形態にかかるヌメロロジに関する情報を搬送するための共通のダウンリンク送信リソース及び追加のダウンリンク送信リソースの例示的な位置の図を概略的に示す。図８では、共通のＰＢＣＨ／ＰＳＳ／ＳＳＳ及び追加のＰＢＣＨ／ＰＳＳ／ＳＳＳの全ては、固定のサブキャリア間隔（例えば、１５ＫＨｚ）を有し、システム帯域幅において多重化される偶数個のヌメロロジが示されており、システム帯域はヌメロロジに対して均等に分割されている。すなわち、ヌメロロジは、システム帯域幅において等しく多重化される。この場合、共通のＰＢＣＨ／ＰＳＳ／ＳＳＳは、依然としてシステム帯域幅の中央に位置し、いずれのサブバンド内に位置しないが、２つのサブバンドにわたって位置する。そのため、共通のＰＢＣＨは、多重化されるヌメロロジの数を含むことができる。さらに、共通のＰＢＣＨは、それらがシステム帯域幅の境界ではなく、サブバンドの境界又はサブバンドの中央において送信される場合、追加のＰＢＣＨの位置情報をさらに含んでもよい。しかし、この情報は、システム帯域幅及び多重化されるヌメロロジの数にしたがって、ＵＥにより推測することもできる。例えば、２０ＭＨｚ帯域幅及び４つの等しく多重化されるヌメロロジの場合、端末装置は、ＰＢＣＨが、各５ＭＨｚ帯域幅の中央に位置することを知ることができる。この場合、ＰＢＣＨにおいて、多重化されるヌメロロジの数を含めば十分であり、追加のＰＢＣＨの位置情報は不要である。このような場合、レガシーのＰＢＣＨと比較すると、追加のサブバンド固有のＰＢＣＨは、（関連する情報が共通のＰＢＣＨにおいて提供されない場合、）サブキャリア間隔、サブバンド帯域幅又は対応するヌメロロジのサブバンドの開始及び終了位置をさらに含むことができる。システム帯域幅は、いずれにおいてももはや必要でなくてもよい。
【００６５】
図９は、本開示の他の実施形態にかかるヌメロロジに関する情報を搬送するための共通のダウンリンク送信リソース及び追加のダウンリンク送信リソースの例示的な位置の図を概略的に示す。この場合、追加のＰＢＣＨの各々は、サブバンド固有のサブキャリア間隔を使用する。このような場合、図８の共通のＰＢＣＨに含まれる情報に加えて、それぞれのヌメロロジについてのサブキャリア間隔情報が、共通のＰＢＣＨにさらに含まれる。レガシーのＰＢＣＨと比較すると、追加のＰＢＣＨは、（関連情報が共通のＰＢＣＨにおいて提供されない場合、）サブバンド帯域幅、又は対応するヌメロロジのサブバンドの開始及び終了位置をさらに含むことが出来る。同時に、システム帯域幅は、もはや必要でなくてもよい。
【００６６】
同様に、図８及び９に示す様な場合について、ヌメロロジに関する情報は、追加の情報ビットの有無に関わらず、スペア１０ビットを用いて、ＭＩＢにより送信することが出来る。あるいは、全てのヌメロロジ関連情報は、新たな情報ビットにより送信することも出来る。さらに、図８及び図９において、サブキャリア間隔情報、サブバンド帯域幅等の情報に関するインジケーション、及び他の関連する側面は、図３のものと同様とすることができ、したがって、本明細書では詳述しないことも理解されたい。
【００６７】
さらに、図１０は、本開示の実施形態にかかる無線通信システムの端末装置におけるヌメロロジ多重化の方法のフローチャートを概略的に示す。方法１０００は、例えばＵＥ、又は他の端末装置の様な端末装置において実施することが出来る。
【００６８】
図１０に示す様に、方法１０００は、ステップ１００１から開始し、共通のダウンリンク送信リソースにおいて、少なくとも２つのヌメロロジに関する情報が受信される。本開示の一実施形態では、共通のダウンリンク送信リソースは、システム帯域幅の中央に位置する。本開示の他の実施形態では、共通のダウンリンク送信リソースは、固定のサブキャリア間隔を有する。
【００６９】
そして、ステップ１００２において、少なくとも２つのヌメロロジは、少なくとも２つのヌメロロジに関する情報に基づいて、同一周波数帯域において多重化される。本開示の一実施形態では、少なくとも２つのヌメロロジは、システム帯域幅の中心周波数において、少なくとも２つのヌメロロジに対する周波数間隔のうちの最小のものと多重化することが出来る。本開示の他の実施形態では、少なくとも２つのヌメロロジは、所定のパターンに基づいて多重化される。
【００７０】
追加的に及び選択的に、本方法は、ステップ１００３をさらに含んでもよく、そこでは、共通のダウンリンク送信リソースを含まないサブバンドを有する少なくとも１つの他のヌメロロジに関する情報が、少なくとも１つの追加のダウンリンク送信リソースにおいてさらに受信される。本開示の一実施形態では、少なくとも１つの追加のダウンリンク送信リソースは、固定のサブキャリア間隔又はサブバンド固有のサブキャリア間隔を有する。本開示の他の実施形態では、少なくとも１つの追加のダウンリンク送信リソースは、システム帯域幅の境界又はサブバンドの中央に位置する。
【００７１】
本開示の一実施形態では、少なくとも２つのヌメロロジに関する情報は、多重化されるヌメロロジの数；ヌメロロジ多重化構成情報；ヌメロロジのうちの少なくとも１つについてのサブキャリア間隔；ヌメロロジのうちの少なくとも１つについてのサブバンド帯域幅情報；及びヌメロロジのうちの少なくとも１つについての追加のダウンリンク送信リソースに関する位置情報、のうちの少なくとも１つを含んでもよい。
【００７２】
本開示の他の実施形態では、少なくとも１つの追加のダウンリンク送信リソースは、少なくとも１つの追加のダウンリンク送信リソースについてのサブバンド帯域幅及び少なくとも１つの追加のダウンリンク送信リソースについてのサブキャリア間隔のうちの少なくとも１つを含む。
【００７３】
以上、端末装置におけるヌメロロジ多重化の方法を、図１０を参照して簡単に説明したが、本方法の動作及び特徴についての多くの詳細は、サービングノードにおける方法と同様である。そのため、詳細については、図１〜図１０を参照することにより対応する説明を参照することが出来る。
【００７４】
このように、本開示の実施形態により、異なるヌメロロジが、同一帯域において多重化されることを可能となるので、５Ｇの様な新しい無線システムにおいてヌメロロジ多重化をサポートすることが可能となる。
【００７５】
また、本開示では、図１１及び１２を参照して以降説明する、無線通信システムのサービングノード及び端末装置のそれぞれにおけるヌメロロジ多重化のための装置も提供される。
【００７６】
図１１は、本開示の実施形態にかかる無線通信システムのサービングノードにおけるヌメロロジ多重化のための装置１１００のブロック図を概略的に示す。装置１１００は、例えば、ＢＳ、ノードＢ（NodeB又はNB）のようなサービングノードにおいて実装することが出来る。図１１に説明する様な実施形態では、装置１１００は、情報送信モジュール１１０１及びヌメロロジ多重化モジュール１１０２を含んでもよい。ヌメロロジ多重化モジュール１１０２は、少なくとも２つのヌメロロジに関する情報に基づいて、同一周波数帯域において、少なくとも２つのヌメロロジを多重化するように構成されてもよい。
【００７７】
本開示の一実施形態では、ヌメロロジ多重化モジュール１１０２は、システム帯域幅の中心周波数において、少なくとも２つのヌメロロジに対する周波数間隔のうちの最小のものと、少なくとも２つのヌメロロジが多重化されるようにさらに構成されてもよい。本開示の他の実施形態では、ヌメロロジ多重化モジュールは、所定のパターンに基づいて、少なくとも２つのヌメロロジを多重化するようにさらに構成される。
【００７８】
本開示のさらなる実施形態では、共通のダウンリンク送信リソースは、システム帯域幅の中央に位置してもよい。追加的に又は代替的に、共通のダウンリンク送信リソースは、固定のサブキャリア間隔を有してもよい。
【００７９】
本開示のさらに他の実施形態では、装置１１００は、追加情報送信モジュール１１０３をさらに含んでもよい。追加情報送信モジュール１１０３は、少なくとも１つの追加のダウンリンク送信リソースにおいて、共通のダウンリンク送信リソースを含まないサブバンドを有する少なくとも１つの他のヌメロロジに関する情報を送信するように構成されてもよい。
【００８０】
本開示のさらに他の実施形態では、少なくとも１つの追加のダウンリンク送信リソースは、固定のサブキャリア間隔又はサブバンド固有のサブキャリア間隔を有してもよい。
【００８１】
本開示のさらに他の実施形態では、少なくとも１つの追加のダウンリンク送信リソースは、システム帯域幅の境界又はサブバンドの中央に位置してもよい。
【００８２】
本開示の他の実施形態では、少なくとも２つのヌメロロジに関する情報は、多重化されるヌメロロジの数；ヌメロロジ多重化構成情報；ヌメロロジのうちの少なくとも１つについてのサブキャリア間隔情報；ヌメロロジのうちの少なくとも１つについてのサブバンド帯域幅情報；及びヌメロロジのうちの少なくとも１つについての追加のダウンリンク送信リソースに関する位置情報、のうちの１つをさらに含んでもよい。
【００８３】
本開示のさらなる実施形態では、少なくとも１つの追加のダウンリンク送信リソースは、少なくとも１つの追加のダウンリンク送信リソースについてのサブバンド帯域幅情報及び少なくとも１つの追加のダウンリンク送信リソースについてのサブキャリア間隔情報のうちの少なくとも１つをさらに含んでもよい。
【００８４】
図１２は、本開示の実施形態にかかる無線通信システムの端末装置におけるヌメロロジ多重化のための装置１２００のブロック図を概略的に示す。装置１２００は、例えばＵＥ、又は他の端末装置の様な端末装置において実装することが出来る。
【００８５】
図１２に示す様に、装置１２００は、情報受信モジュール１２０１及びヌメロロジ多重化モジュール１２０２を含む。情報受信モジュール１２０１は、共通のダウンリンク送信リソースにおいて、少なくとも２つのヌメロロジに関する情報を受信するように構成されてもよい。ヌメロロジ多重化モジュール１２０２は、少なくとも２つのヌメロロジに関する情報に基づいて、同一周波数帯域において、少なくとも２つのヌメロロジを多重化するように構成されてもよい。
【００８６】
本開示の実施形態では、ヌメロロジ多重化モジュール１２０２は、システム帯域幅の中心周波数において、少なくとも２つのヌメロロジに対する周波数間隔のうちの最小のものと少なくとも２つのヌメロロジを多重化するようにさらに構成されてもよい。
【００８７】
本開示の他の実施形態では、ヌメロロジ多重化モジュール１２０２は、所定のパターンに基づいて、少なくとも２つのヌメロロジを多重化するようにさらに構成されてもよい。
【００８８】
本開示のさらなる実施形態では、共通のダウンリンク送信リソースは、システム帯域幅の中央に位置してもよい。本開示のさらなる実施形態では、共通のダウンリンク送信リソースは、固定のサブキャリア間隔を有する。
【００８９】
本開示の他の実施形態では、装置１２００は、追加情報受信モジュール１２０３をさらに備えてもよい。追加情報受信モジュール１２０３は、少なくとも１つの追加のダウンリンク送信リソースにおいて、共通のダウンリンク送信リソースを含まないサブバンドを有する少なくとも１つの他のヌメロロジに関する情報を受信するように構成されてもよい。
【００９０】
本開示のさらに他の実施形態では、少なくとも１つの追加のダウンリンク送信リソースは、固定のサブキャリア間隔又はサブバンド固有のサブキャリア間隔を有してもよい。本開示のさらに他の実施形態では、少なくとも１つの追加のダウンリンク送信リソースは、システム帯域幅の境界又はサブバンドの中央に位置してもよい。
【００９１】
本開示のさらに他の実施形態では、少なくとも２つのヌメロロジに関する情報は、多重化されるヌメロロジの数；ヌメロロジ多重化構成情報；ヌメロロジのうちの少なくとも１つについてのサブキャリア間隔情報；ヌメロロジのうちの少なくとも１つについてのサブバンド帯域幅情報；及びヌメロロジのうちの少なくとも１つについての追加のダウンリンク送信リソースに関する位置情報、のうちの少なくとも１つを含んでもよい。
【００９２】
本開示のさらに他の実施形態では、少なくとも１つの追加のダウンリンク送信リソースは、少なくとも１つの追加のダウンリンク送信リソースについてのサブバンド帯域幅情報及び少なくとも１つの追加のダウンリンク送信リソースについてのサブキャリア間隔情報のうちの少なくとも１つを含む。
【００９３】
以上、装置１１００及び１２００は、図１１及び１２を参照して説明した。装置１１００及び１２００は、図１〜１０を参照して説明した様に機能を実装するように構成されてもよいことに留意されたい。したがって、これらの装置のモジュールの動作に関する詳細について、図１〜１０を参照した様に方法のそれぞれのステップに関してなされた説明を参照してもよい。
【００９４】
装置１１００及び１２００のコンポーネントは、ハードウェア、ソフトウェア、ファームウェア、及び／又は、それらの任意の組み合わせにおいて具体化されてもよいことにさらに留意されたい。例えば、装置１１００及び１２００のコンポーネントは、回路、プロセッサ又は任意の他の適切な選択装置により、それぞれ実装されてもよい。当業者であれば、上述した例示は、限定することを目的とせず、説明を目的として示されており、本開示はこれに限定されないことは理解するであろう；当業者であれば、本明細書に提供された教示から多くの変形、追加、削除及び改変を容易に想到することができ、全てのこれらの変形、追加、削除及び改変は、本開示の保護範囲に入ることは、理解するであろう。
【００９５】
本開示のいくつかの実施形態では、装置１１００及び１２００は、少なくとも１つのプロセッサを含んでもよい。本開示の実施形態により使用のために適切した少なくとも１つのプロセッサは、一例として、既に知られている又は将来開発される、汎用及び専用プロセッサを含んでもよい。装置１１００及び１２００は、少なくとも１つのメモリをさらに含んでもよい。少なくとも１つのメモリは、例えば、ＲＡＭ、ＲＯＭ、ＥＰＲＯＭ、ＥＥＰＲＯＭ、フラッシュメモリデバイス等の例えば半導体メモリデバイスを含んでもよい。少なくとも１つのメモリは、コンピュータ実行可能命令のプログラムを格納するために使用されてもよい。プログラムは、任意のハイレベル及び／又はローレベルの適合可能又は解釈可能なプログラミング言語により記述することが出来る。実施形態によれば、コンピュータ実行可能命令は、少なくとも１つのプロセッサにより、装置１１００及び１２００が、図１〜１０をそれぞれ参照して説明した方法にかかる動作を少なくとも実行するように構成されてもよい。
【００９６】
ＰＢＣＨは、ヌメロロジ関連情報を搬送するためのダウンリンク送信リソースとして主に説明しているが、本開示は、これに限定されず、ＰＳＳ、ＳＳＳ等の他の適切なダウンリンク送信リソースを使用することも可能である。さらに、説明において、ＰＢＣＨは、例示的なレガシー情報及びヌメロロジに関する情報を含むように説明されているが、本開示ではこれに限定されない。他の情報を含むことが出来る。例えば、ＰＢＣＨは、システムインフォメーションブロック（ＳＩＢ：system information block）も含むことが出来る。
【００９７】
図１３は、無線ネットワークにおけるＵＥの様な端末装置として具体化され、又は端末装置に含まれ得る装置１３１０、及び本明細書に説明される様にＮＢ又はｅＮＢなどの基地局として具体化され、又は基地局に含まれ得る装置１３２０の簡略化されたブロック図をさらに示す。
【００９８】
装置１３１０は、データプロセッサ（ＤＰ）等の、少なくとも１つのプロセッサ１３１１及びプロセッサ１３１１に結合された少なくとも１つのメモリ（ＭＥＭ）１３１２を含む。装置１３１０は、装置１３２０と通信可能に接続するように動作し得る、プロセッサ１３１１に結合された、送信機ＴＸ及び受信機ＲＸ１３１３をさらに含んでもよい。ＭＥＭ１３１２は、プログラム（ＰＲＯＧ）１３１４を格納する。ＰＲＯＧ１３１４は、関連するプロセッサ１３１１において実行される場合、例えば方法１００等の本開示の実施形態にしたがって、装置１３１０が動作することを可能にする命令を含んでもよい。少なくとも１つのプロセッサ１３１１及び少なくとも１つのＭＥＭ１３１２の組み合わせは、本開示の様々な実施形態を実装する様に構成された処理手段１３１５を形成してもよい。
【００９９】
装置１３２０は、ＤＰ等の少なくとも１つのプロセッサ１３２１、及びプロセッサ１３２１と結合する少なくとも１つのＭＥＭ１３２２を含む。装置１３２０は、装置１３１０との無線通信を動作可能にし得る、プロセッサ１３２１と結合された適切なＴＸ／ＲＸ１３２３をさらに含んでもよい。ＭＥＭ１３２２はＰＲＯＧ１３２４を格納する。ＰＲＯＧ１３２４は、関連するプロセッサ１３２１において実行される場合、装置１３２０が例えば方法１０００を実行すること等、本開示の実施形態にしたがって動作することを可能にする命令を含んでもよい。少なくとも１つのプロセッサ１３２１及び少なくとも１つのＭＥＭ１３２２は、本開示の様々な実施形態を実装するように構成された処理手段１３２５を形成してもよい。
【０１００】
本開示の様々な実施形態は、１もしくは複数のプロセッサ１３１１、１３２１、ソフトウェア、ファームウェア、ハードウェア又はそれらの組み合わせにより実行されるコンピュータプログラムにより実装されていてもよい。
【０１０１】
ＭＥＭ１３１２及び１３２２は、ローカル技術環境に適した任意のタイプのものでもよく、非限定的な例として、半導体ベースのメモリデバイス、磁気メモリデバイス及びシステム、固定メモリ及びリムーバブルメモリ等の任意の適切なデータストレージ技術を用いて実装されてもよい。
【０１０２】
プロセッサ１３１１及び１３２１は、ローカルな技術環境に適した任意の種類のものでもよく、非限定的な例として、汎用コンピュータ、専用コンピュータ、マイクロプロセッサ、デジタル信号プロセッサＤＳＰ及びマルチコアプロセッサアーキテクチャベースのプロセッサのうちの１もしくは複数を含んでもよい。
【０１０３】
さらに、本開示はまた、上述した様に、コンピュータプログラムを含むキャリアを提供してもよく、上記キャリアは、電子信号、光信号、無線信号、又はコンピュータ可読記憶媒体のうちの１つである。コンピュータ可読記憶媒体は、例えば、光コンパクトディスク、又はＲＡＭ（random access memory）、ＲＯＭ（read only memory）、フラッシュメモリ、電子メモリデバイス、磁気テープ、ＣＤ−ＲＯＭ、ＤＶＤ、ブルーレイディスク等の電子メモリデバイスであり得る。
【０１０４】
本明細書で説明される技術は、様々な手段によって実施されてもよく、その結果、一実施形態で説明される装置に対応する１以上の機能を実装する装置は、従来技術の手段だけでなく、実施の形態で説明した装置に対応する１以上の機能を実現する手段を備えてもよく、それぞれの別個の機能のための別個の手段、又は２つ以上の機能を実行するように構成された手段を備えてもよい。例えば、これらの技術は、ハードウェア（１もしくは複数の装置）、ファームウェア（１もしくは複数の装置）、ソフトウェア（１もしくは複数のモジュール）、又はそれらの組み合わせで実装されてもよい。ファームウェア又はソフトウェアについて、実装が、本明細書において説明された機能を実行するモジュール（例えば、手順、機能、等）を介してなされてもよい。
【０１０５】
本明細書における例示的な実施形態は、方法及び装置のブロック図及びフローチャート図を参照して上述した。ブロック図及びフローチャート図の各ブロック、及びブロック図及びフローチャート図のブロック図の組み合わせは、それぞれ、コンピュータプログラムの命令を含む様々な手段により実装することが出来る。これらのコンピュータプログラムの命令は、コンピュータ又は他のプログラム可能なデータ処理装置において、フローチャートのブロック又は複数のブロックに特定される機能を実施する生成手段を実行する、命令等の機械を作るために、汎用的なコンピュータ、専用的なコンピュータ、又は他のプログラム可能なデータ処理装置に読み込まれてもよい。
【０１０６】
本明細書は、多くの具体的な実装の詳細を含むが、これらは、開示又は請求される事項の範囲についての限定として解釈されるべきではなく、特定の開示の特定の実施形態に特有の特徴の説明として解釈されるべきである。別個の実施形態の文脈において本明細書で説明される特定の特徴は、単一の実施形態において組み合わせて実装されてもよい。逆に、単一の実施形態の文脈で記載されている様々な特徴は、複数の実施形態で別々に又は任意の適切なサブコンビネーションで実装されてもよい。さらに、特徴は、特定の組み合わせで作用するものとして上述されてもよく、当初はそのように請求されていたとしても、請求された組み合わせからの１つ又は複数の特徴は、場合によっては、組み合わせから切り取られてもよく、サブコンビネーション又はサブコンビネーションのバリエーションとされてもよい。
【０１０７】
技術が進歩するにつれて、本発明の概念は様々な方法で実施できることは、当業者には明らかであろう。上述の実施形態は、本開示を限定するというよりもむしろ説明するために与えられており、当業者が容易に理解するように、本開示の精神および範囲から逸脱することなく改変および変形が可能であることを理解されたい。そのような改変および変形は、開示および添付の特許請求の範囲の範囲内であると考えられる。本開示の保護範囲は、添付の特許請求の範囲によって規定される。
【図１】
2018537900.tif 000004
【図２】
2018537900.tif 000005
【図３】
2018537900.tif 000006
【図４】
2018537900.tif 000007
【図５】
2018537900.tif 000008
【図６】
2018537900.tif 000009
【図７】
2018537900.tif 000010
【図８】
2018537900.tif 000011
【図９】
2018537900.tif 000012
【図１０】
2018537900.tif 000013
【図１１】
2018537900.tif 000014
【図１２】
2018537900.tif 000015
【図１３】
2018537900.tif 000016
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
無線通信システムにおけるヌメロロジ多重化の方法であって、前記方法は、
共通のダウンリンク送信リソースにおいて、少なくとも２つのヌメロロジに関する情報を送信することと、
前記少なくとも２つのヌメロロジに関する前記情報に基づいて、同一周波数帯域において前記少なくとも２つのヌメロロジを多重化することと、を含む方法。
【請求項２】
前記少なくとも２つのヌメロロジは、システム帯域幅の中心周波数において、前記少なくとも２つのヌメロロジに対する周波数間隔のうちの最小のものと多重化されるか、又は、
前記少なくとも２つのヌメロロジは、所定のパターンに基づいて多重化される、請求項１に記載の方法。
【請求項３】
前記共通のダウンリンク送信リソースは、システム帯域幅の中央に位置する、請求項１又は２に記載の方法。
【請求項４】
前記共通のダウンリンク送信リソースは、固定のサブキャリア間隔を有する、請求項１乃至３のいずれか１項に記載の方法。
【請求項５】
少なくとも１つの追加のダウンリンク送信リソースにおいて、前記共通のダウンリンク送信リソースを含まないサブバンドを有する少なくとも１つの他のヌメロロジに関する情報を送信することをさらに含む、請求項１乃至４のいずれか１項に記載の方法。
【請求項６】
前記少なくとも１つの追加のダウンリンク送信リソースは、固定のサブキャリア間隔を有するか、又は、
前記少なくとも１つの追加のダウンリンク送信リソースは、サブバンド固有のサブキャリア間隔を有する、請求項５に記載の方法。
【請求項７】
前記少なくとも１つの追加のダウンリンク送信リソースは、システム帯域幅の境界に位置するか、又は、
前記少なくとも１つの追加のダウンリンク送信リソースは、サブバンドの中央に位置する、請求項５又は６に記載の方法。
【請求項８】
前記少なくとも２つのヌメロロジに関する前記情報は、
多重化されるヌメロロジの数；
ヌメロロジ多重化構成情報；
前記ヌメロロジのうちの少なくとも１つについてのサブキャリア間隔情報；
前記ヌメロロジのうちの少なくとも１つについてのサブバンド帯域幅情報；及び
前記ヌメロロジのうちの少なくとも１つについての追加のダウンリンク送信リソースに関する位置情報、
のうちの少なくとも１つを含む、請求項１乃至７のいずれか１項に記載の方法。
【請求項９】
前記少なくとも１つの追加のダウンリンク送信リソースは、前記少なくとも１つの追加のダウンリンク送信リソースについてのサブバンド帯域幅情報、及び、前記少なくとも１つの追加のダウンリンク送信リソースについてのサブキャリア間隔情報、のうちの少なくとも１つを含む、請求項５乃至７のいずれか１項に記載の方法。
【請求項１０】
無線通信システムにおけるヌメロロジ多重化の方法であって、前記方法は、
共通のダウンリンク送信リソースにおいて、少なくとも２つのヌメロロジに関する情報を受信することと、
前記少なくとも２つのヌメロロジに関する前記情報に基づいて、同一周波数帯域において前記少なくとも２つのヌメロロジを多重化することと、を含む方法。
【国際調査報告】
2018537900.tif 000017
2018537900.tif 000018